(57)【要約】【課題】ユーザによる検索対象概念の発見が容易でかつその概念による検索を可能にする。【解決手段】キーワードを受け付けるキーワード受付手段（１１）と、キーワードからの概念の検索を制御する概念検索制御手段（１２）と、検索された概念が通知され当該概念が指定されたときに当該概念を検索対象概念とした概念とコンテンツの検索を制御する概念コンテンツ検索制御手段（１４）と、検索対象概念から検索された概念とコンテンツを検索結果で通知する検索結果通知手段（１５）とを備えることで、ユーザによる検索対象概念の発見を容易にできかつその概念による検索を可能にすることができる。【選択図】図１
2006227807.tif 000002
【特許請求の範囲】
【請求項１】
概念間および概念コンテンツ間およびその間のリンク強度を定義したユーザオントロジ辞書を用いて概念とコンテンツを検索する概念コンテンツ検索装置において、
キーワードを受け付けるキーワード受付手段と、
キーワードからの概念の検索を制御する概念検索制御手段と、
検索された概念が通知され当該概念が指定されたときに当該概念を検索対象概念とした概念とコンテンツの検索を制御する概念コンテンツ検索制御手段と、
検索対象概念から検索された概念とコンテンツを検索結果で通知する検索結果通知手段と
を備えることを特徴とする概念コンテンツ検索装置。
【請求項２】
キーワードから検索された複数の概念についてリンク強度を取得し、
取得されたリンク強度の高い概念が優先的に検索対象概念となるようにし、当該検索対象概念からの検索の制御を前記概念コンテンツ検索制御手段が行うことを特徴とする請求項１記載の概念コンテンツ検索装置。
【請求項３】
概念間および概念コンテンツ間およびその間のリンク強度を定義したユーザオントロジ辞書を用いて概念とコンテンツを検索する概念コンテンツ検索装置が行う概念コンテンツ検索方法において、
キーワードを受け付けるキーワード受付手段がキーワードを受け付け、
キーワードからの概念の検索を制御する概念検索制御手段が概念の検索を制御し、
検索された概念が通知され当該概念が指定されたときに当該概念を検索対象概念とした概念とコンテンツの検索を制御する概念コンテンツ検索制御手段が概念とコンテンツの検索を制御し、
検索対象概念から検索された概念とコンテンツを検索結果で通知する検索結果通知手段が検索結果を通知する
ことを特徴とする概念コンテンツ検索方法。
【請求項４】
キーワードから検索された複数の概念についてリンク強度を取得し、
取得されたリンク強度の高い概念が優先的に検索対象概念となるようにし、当該検索対象概念からの検索の制御を前記概念コンテンツ検索制御手段が行う
ことを特徴とする請求項３記載の概念コンテンツ検索方法。
【請求項５】
概念間および概念コンテンツ間およびその間のリンク強度を定義したユーザオントロジ辞書を用いて概念とコンテンツを検索する概念コンテンツ検索装置において、
キーワードを受け付けるキーワード受付手段と、
キーワードからの概念の検索を制御する概念検索制御手段と、
検索された概念が通知され当該概念が指定されたときに当該概念を検索対象概念とした概念とコンテンツの検索を制御する概念コンテンツ検索制御手段と、
検索対象概念から検索された概念とコンテンツを検索結果で通知する検索結果通知手段と
を備えることを特徴とする概念コンテンツ検索装置としてコンピュータを機能させるコンピュータプログラム。
【発明の詳細な説明】
【技術分野】
【０００１】
本発明は、ユーザによる検索対象概念の発見が容易かつその概念による検索が可能な概念コンテンツ検索装置および方法に関するものである。
【背景技術】
【０００２】
従来より、セマンティックウェブ分野においては、概念間の関係を表現するためにオントロジ辞書が用いられる。オントロジ辞書には、その辞書に含まれる任意の２つの概念間（以下、概念間）の関係の強さ（以下、リンク強度）と、その辞書に含まれる任意の概念と該概念に関係する（リンクするともいう）コンテンツとの間（以下、概念コンピュータ間）のリンク強度とを定義したものがある（特許文献１）。
【０００３】
オントロジ辞書は、特許文献１では、同一ユーザの評価などのユーザ情報から構築されている。また、オントロジ辞書は、そのユーザの年齢、性別、嗜好、履歴などのユーザ情報から構築してもよい。このような、同一ユーザのユーザ情報から構築されたオントロジ辞書はユーザオントロジ辞書という。
【０００４】
このユーザオントロジ辞書による検索では、最初にユーザにより指定された検索対象概念から概念およびコンテンツを検索し、検索結果をユーザに通知する。
【０００５】
また、この検索では、予めユーザにより複数の検索条件が設定され、その中からユーザに選択された検索条件で検索を行う。
【０００６】
また、非特許文献１には、旅行代理店の窓口において行われていた宿泊施設（コンテンツ）の検索処理をオンライン上で簡単に行う方法が開示されている。
【特許文献１】特開２００３−１０８５９７号公報
【非特許文献１】Yahoo!トラベル,[２００４年１２月１６日検索],[online]インターネット<URL:http://domestic.hotel.travel.yahoo.co.jp/>
【発明の開示】
【発明が解決しようとする課題】
【０００７】
しかしながら、非特許文献１に示す方法では、ユーザにより設定可能な検索条件が予め限定されており、それ以外の検索条件を設定できない。また、多数の検索条件を設定するときの作業が煩雑である。
【０００８】
また、特許文献１に示す方法では、ユーザが検索対象概念を指定する際、ユーザが所望する概念を容易に発見できるようにして、これを検索対象概念として指定することが好ましいが、特許文献１にはその解決策が開示されていない。
【０００９】
本発明は、上記課題に鑑みなされたもので、その目的とするところは、ユーザによる検索対象概念の発見が容易かつその概念による検索が可能な概念コンテンツ検索装置および方法を提供することにある。
【課題を解決するための手段】
【００１０】
上記の課題を解決するために、請求項１の本発明は、概念間および概念コンテンツ間およびその間のリンク強度を定義したユーザオントロジ辞書を用いて概念とコンテンツを検索する概念コンテンツ検索装置において、キーワードを受け付けるキーワード受付手段と、キーワードからの概念の検索を制御する概念検索制御手段と、検索された概念が通知され当該概念が指定されたときに当該概念を検索対象概念とした概念とコンテンツの検索を制御する概念コンテンツ検索制御手段と、検索対象概念から検索された概念とコンテンツを検索結果で通知する検索結果通知手段とを備えることを特徴とする概念コンテンツ検索装置をもって解決手段とする。
【００１１】
請求項１の本発明では、キーワードを受け付け、キーワードからの概念の検索を制御し、検索された概念が通知され当該概念が指定されたときに当該概念を検索対象概念とした概念とコンテンツの検索を制御し、検索対象概念から検索された概念とコンテンツを検索結果で通知することで、ユーザによる検索対象概念の発見を容易にできかつその概念による検索を可能にすることができる。
【００１２】
請求項２の本発明は、キーワードから検索された複数の概念についてリンク強度を取得し、取得されたリンク強度の高い概念が優先的に検索対象概念となるようにし、当該検索対象概念からの検索の制御を前記概念コンテンツ検索制御手段が行うことを特徴とする請求項１記載の概念コンテンツ検索装置をもって解決手段とする。
【００１３】
請求項２の本発明では、キーワードから検索された複数の概念についてリンク強度を取得し、取得されたリンク強度の高い概念が優先的に検索対象概念となるようにし、当該検索対象概念からの検索の制御を前記概念コンテンツ検索制御手段が行うことで、ユーザによる検索対象概念の発見を容易にできかつその概念による検索を可能にすることができるとともに、リンク強度の高い概念を優先的に検索対象概念として概念とコンテンツの検索を行える。
【００１４】
請求項３の本発明は、概念間および概念コンテンツ間およびその間のリンク強度を定義したユーザオントロジ辞書を用いて概念とコンテンツを検索する概念コンテンツ検索装置が行う概念コンテンツ検索方法において、キーワードを受け付けるキーワード受付手段がキーワードを受け付け、キーワードからの概念の検索を制御する概念検索制御手段が概念の検索を制御し、検索された概念が通知され当該概念が指定されたときに当該概念を検索対象概念とした概念とコンテンツの検索を制御する概念コンテンツ検索制御手段が概念とコンテンツの検索を制御し、検索対象概念から検索された概念とコンテンツを検索結果で通知する検索結果通知手段が検索結果を通知することを特徴とする概念コンテンツ検索方法をもって解決手段とする。
【００１５】
請求項３の本発明では、キーワードを受け付けるキーワード受付手段がキーワードを受け付け、キーワードからの概念の検索を制御する概念検索制御手段が概念の検索を制御し、検索された概念が通知され当該概念が指定されたときに当該概念を検索対象概念とした概念とコンテンツの検索を制御する概念コンテンツ検索制御手段が概念とコンテンツの検索を制御し、検索対象概念から検索された概念とコンテンツを検索結果で通知する検索結果通知手段が検索結果を通知することで、ユーザによる検索対象概念の発見を容易にできかつその概念による検索を可能にすることができる。
【００１６】
請求項４の本発明は、キーワードから検索された複数の概念についてリンク強度を取得し、取得されたリンク強度の高い概念が優先的に検索対象概念となるようにし、当該検索対象概念からの検索の制御を前記概念コンテンツ検索制御手段が行うことを特徴とする請求項３記載の概念コンテンツ検索方法をもって解決手段とする。
【００１７】
請求項４の本発明では、キーワードから検索された複数の概念についてリンク強度を取得し、取得されたリンク強度の高い概念が優先的に検索対象概念となるようにし、当該検索対象概念からの検索の制御を前記概念コンテンツ検索制御手段が行うことで、ユーザによる検索対象概念の発見を容易にできかつその概念による検索を可能にすることができるとともに、リンク強度の高い概念を優先的に検索対象概念として概念とコンテンツの検索を行える。
【００１８】
請求項５の本発明は、概念間および概念コンテンツ間およびその間のリンク強度を定義したユーザオントロジ辞書を用いて概念とコンテンツを検索する概念コンテンツ検索装置において、キーワードを受け付けるキーワード受付手段と、キーワードからの概念の検索を制御する概念検索制御手段と、検索された概念が通知され当該概念が指定されたときに当該概念を検索対象概念とした概念とコンテンツの検索を制御する概念コンテンツ検索制御手段と、検索対象概念から検索された概念とコンテンツを検索結果で通知する検索結果通知手段とを備えることを特徴とする概念コンテンツ検索装置としてコンピュータを機能させるコンピュータプログラムをもって解決手段とする。
【００１９】
請求項５の本発明では、キーワードを受け付けるキーワード受付手段と、キーワードからの概念の検索を制御する概念検索制御手段と、検索された概念が通知され当該概念が指定されたときに当該概念を検索対象概念とした概念とコンテンツの検索を制御する概念コンテンツ検索制御手段と、検索対象概念から検索された概念とコンテンツを検索結果で通知する検索結果通知手段と、を備えることを特徴とする概念コンテンツ検索装置としてコンピュータを機能させるコンピュータプログラムを流通可能にする。
【発明の効果】
【００２０】
本発明によれば、キーワードを受け付け、キーワードからの概念の検索を制御し、検索された概念が通知され当該概念が指定されたときに当該概念を検索対象概念とした概念とコンテンツの検索を制御し、検索対象概念から検索された概念とコンテンツを検索結果で通知することで、ユーザによる検索対象概念の発見を容易にできかつその概念による検索を可能にすることができる。
【００２１】
また、キーワードから検索された複数の概念についてリンク強度を取得し、取得されたリンク強度の高い概念が優先的に検索対象概念となるようにし、当該検索対象概念からの検索の制御を概念コンテンツ検索制御手段が行うことで、ユーザによる検索対象概念の発見を容易にできかつその概念による検索を可能にすることができるとともに、リンク強度の高い概念を優先的に検索対象概念として概念とコンテンツの検索を行える。
【発明を実施するための最良の形態】
【００２２】
以下、本発明の実施の形態を図面を参照して説明する。
【００２３】
図１は、本実施の形態に係るシステムの概略構成図である。
【００２４】
概念コンテンツ検索装置１は、概念とコンテンツを検索した検索結果を検索要求装置２へ送信する装置であり、パーソナルコンピュータやワークステーションなどのコンピュータが所定のコンピュータプログラムを実行することにより、このコンピュータが装置１として機能するようになっている。装置１と装置２はインターネットやイントラネットなどのコンピュータネットワークで接続される。概念は、例えば、日本語表記された文字列を含む。一方、コンテンツは、例えば、ホームページであるが、音声や映像を圧縮したファイルなどでもよい。
【００２５】
概念コンテンツ検索装置１は、キーワードを受け付けるキーワード受付部１１と、概念の検索を制御する概念検索制御部１２と、検索対象概念を絞り込む検索対象概念絞り込み部１３と、概念とコンテンツの検索を制御する概念コンテンツ検索制御部１４と、検索要求装置２を使用するユーザの概念間および概念コンテンツ間およびその間のリンク強度を定義したユーザオントロジ辞書３１と、ユーザオントロジ辞書３１を管理するユーザオントロジ辞書管理部３２とを備える。なお、以下の説明では、装置１内での情報送信に言及するが、これを該装置が備える図示しない記憶装置を介して行ってもよい。また、要求に基づく情報処理に言及するが、この情報は、この記憶装置の所定の場所に格納され、ここから適宜各処理部が情報を読み出して処理するようになっている。
【００２６】
検索要求装置２は、キーワードを送信するキーワード送信部２１と、検索対象概念を絞り込む要求を行う検索対象概念絞り込み要求部２２と、検索結果を受け付ける検索結果受付部２３とを備え、装置１と同様に、コンピュータがプログラムを実行して装置２として機能する。このプログラムは、例えば、ウェブブラウザとともに用いられる。
【００２７】
図２は、ユーザオントロジ辞書３１の構成図である。
【００２８】
図２では、例えば、概念（以下、Ｃは概念を示す情報（ここでは概念という）を示す）「カクテル」が概念「洋酒」の子概念であることを示す。また、これら概念間のリンク強度が３であることを示す。また、コンテンツＰ（以下、Ｐはコンテンツを示す）１が概念Ｃ４「カクテル」にリンクするコンテンツであることを示す。コンテンツはユーザオントロジ辞書３１には含まれず、例えば、Ｐ１Ｃ４間のリンク強度にＵＲＩ(Universal Resource Indicator)を対応づけ、それを検索結果に含ませるようになっている。
【００２９】
次に、本実施の形態の動作を説明する。なお、説明には適宜例示を用いることとする。また、符号つきの用語を適宜符号のみで説明することとする。
【００３０】
図１において、検索要求装置２のキーワード送信部２１は、例えば、キーワード「カクテル」を概念コンテンツ検索装置１のキーワード受付部１１に送信する（ステップＳ１）。
【００３１】
キーワード受付部１１は、概念検索制御部１２に対し、概念検索要求を行い（ステップＳ３）、概念検索制御部１２は、ユーザオントロジ辞書管理部３２に対し、概念検索要求を行う（ステップＳ５）。
【００３２】
ユーザオントロジ辞書管理部３２は、キーワード「カクテル」を含む概念Ｃ４「カクテル」、概念Ｃ８「カクテル」、概念Ｃ１１「カクテルドレス」を検索し（ステップＳ７）、これを概念検索制御部１２に送信する（ステップＳ９）。
【００３３】
概念検索制御部１２は、検索対象概念絞り込み部１３に検索対象概念絞り込み要求を行う（ステップＳ１１）。検索対象概念絞り込み部１３は、例えば、概念Ｃ４「カクテル」、概念Ｃ８「カクテル」、概念Ｃ１１「カクテルドレス」が検索要求装置２で、例えばそれぞれの優先度の順に表示され、ユーザによりＣ４「カクテル」が指定され、検索要求装置２の検索対象概念絞り込み要求部２２から、概念Ｃ４を指定される（ステップＳ１３）と、この概念Ｃ４を検索対象概念とする。
【００３４】
なお、ステップＳ７でＣ４、Ｃ８が検索され、これらを優先度の順に表示させるときは、例えば、以下のようにする。これは、Ｃ４とＣ８の上位の同一概念である基準概念Ｃ０とＣ４との間のリンク強度をＣ４の優先度とし、基準概念Ｃ０とＣ８との間のリンク強度をＣ８の優先度とする方法である。
【００３５】
概念コンテンツ検索装置１では、図２において、基準概念Ｃ０「モノ」と概念Ｃ２「洋酒」との間のリンク強度５と、Ｃ２とＣ４との間のリンク強度３と、Ｃ０と概念Ｃ７「映画」との間のリンク強度３と、Ｃ７とＣ４との間のリンク強度３とを、ユーザオントロジ辞書管理部３２が検索し、Ｃ０−Ｃ４間のリンク強度を、Ｃ０−Ｃ２間のリンク強度とＣ２−Ｃ４間のリンク強度の平均である４と計算し、Ｃ０−Ｃ８間のリンク強度を、Ｃ０−Ｃ７間のリンク強度とＣ７−Ｃ８間のリンク強度の平均である３と計算し、これらを比較して、Ｃ０−Ｃ４間のリンク強度がＣ０−Ｃ８間のリンク強度より大きいので、Ｃ４「カクテル」をＣ８「カクテル」に優先するように表示させる。これは、洋酒のカクテルが映画の題名のカクテルよりもモノとして重視されることを意味する。なお、平均でなく和または最大値をリンク強度としてもよい。
【００３６】
さて、検索対象概念が決定すると、検索対象概念絞り込み部１３は概念コンテンツ検索制御部１４に概念コンテンツ検索要求を行う（ステップＳ１５）。
【００３７】
ユーザオントロジ辞書管理部３２は、検索対象概念Ｃ４の子概念、同値概念、概念コンテンツ間のリンク情報を検索し、図２では、Ｃ５、Ｃ６、Ｃ４とＰ１の間のリンク情報、Ｃ５とＰ３との間のリンク情報、Ｃ６とＰ２との間のリンク情報を検索し、概念コンテンツ検索制御部１４が、Ｃ５、Ｃ６、Ｐ１、Ｐ２、Ｐ３を検索結果としての概念およびコンテンツとして決定する（ステップＳ１７）。
【００３８】
このようにして、検索結果が決定すると、概念コンテンツ検索制御部１４は、検索結果通知部１５に検索結果通知要求を行い（ステップＳ１９）、検索結果通知部１５は、検索結果を検索要求装置２の検索結果受付部２３に通知する（ステップＳ２１）。
【００３９】
検索結果受付部２３は、通知された検索結果を表示させる（ステップＳ２３）。
【００４０】
以上説明したように、本実施の形態によれば、概念間および概念コンテンツ間およびその間のリンク強度を定義したユーザオントロジ辞書を用いて概念とコンテンツを検索する概念コンテンツ検索装置を、キーワードを受け付けるキーワード受付手段（１１）と、キーワードからの概念の検索を制御する概念検索制御手段（１２）と、検索された概念が通知され当該概念が指定されたときに当該概念を検索対象概念とした概念とコンテンツの検索を制御する概念コンテンツ検索制御手段（１４）と、検索対象概念から検索された概念とコンテンツを検索結果で通知する検索結果通知手段（１５）とを備えることを特徴とする概念コンテンツ検索装置（１）としたことで、ユーザによる検索対象概念の発見を容易にできかつその概念による検索を可能にすることができる。
【００４１】
また、キーワードから検索された複数の概念についてリンク強度を取得し、取得されたリンク強度の高い概念が優先的に検索対象概念となるようにし、当該検索対象概念からの検索の制御を概念コンテンツ検索制御手段（１４）が行うことで、リンク強度の高い概念を優先的に検索対象概念として概念とコンテンツの検索を行える。
【００４２】
なお、上記説明した装置１としてコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００４３】
【図１】本実施の形態に係るシステムの概略構成図である。
【図２】ユーザオントロジ辞書３１の構成図である。
【符号の説明】
【００４４】
１…概念コンテンツ検索装置
２…検索要求装置
１１…キーワード受付部
１２…概念検索制御部
１３…検索対象概念絞り込み部
１４…概念コンテンツ検索制御部
１５…検索結果通知部
２１…キーワード送信部
２２…検索対象概念絞り込み要求部
２３…検索結果受付部
３１…ユーザオントロジ辞書
３２…ユーザオントロジ辞書管理部
【図１】
2006227807.tif 000003
【図２】
2006227807.tif 000004